(57)【要約】【課題】小型で精度よく簡易な構成で地中の状態を観測することができる装置を提案する。【解決手段】地中状態観測装置は、扁平面に等間隔に配列した複数のワイヤーによりミュオンを検出する矩形形状の複数のガス検出器と、各ガス検出器の間に配置された鉛板による放射線シールドと、を備える複数の観測部を有し、複数の観測部を、一列に、且つ、少なくとも１つの観測部におけるガス検出器の扁平面の中心からの法線と他の観測部におけるガス検出器の扁平面の中心からの法線とがねじれの位置となるように配置する。同程度の性能を有する地中状態観測装置をシンチレータ検出器を用いて構成した場合に比して、小型で精度よく簡易な構成で地中の状態を観測することができる。【選択図】図２
2020085732.tif 000002
【特許請求の範囲】
【請求項１】
地中に配置され、ミュオンを用いて地中の状態を観測する地中状態観測装置であって、
扁平面に等間隔に配列した複数のワイヤーによりミュオンを検出する矩形形状の複数のガス検出器と、各ガス検出器の間に配置された鉛板による放射線シールドと、を備える複数の観測部を有し、
前記複数の観測部は、一列に、且つ、少なくとも１つの観測部における前記ガス検出器の扁平面の中心からの法線と他の観測部における前記ガス検出器の扁平面の中心からの法線とがねじれの位置となるように配置されている、
地中状態観測装置。
【請求項２】
請求項１記載の地中状態観測装置であって、
前記複数の観測部は、前記ガス検出器の扁平面が９０度だけ異なるように配置された２つの観測部である、
地中状態観測装置。
【請求項３】
請求項１または２記載の地中状態観測装置であって、
円筒形状に形成され、前記複数の観測部を収納する収納ケース、
を備える地中状態観測装置。
【請求項４】
請求項３記載の地中状態観測装置であって、
前記複数の観測部は、前記ガス検出器の扁平面が前記収納ケースの軸に平行になるように前記収納ケースに収納されている、
地中状態観測装置。
【発明の詳細な説明】
【技術分野】
【０００１】
本発明は、地中状態観測装置に関し、詳しくは、地中に配置され、ミュオンを用いて地中の状態を観測する地中状態観測装置に関する。
【背景技術】
【０００２】
従来、この種の技術としては、ボーリング孔に挿入して地層の密度分布を検出する検層装置が提案されている（例えば、特許文献１参照）。この検層装置では、ミュオンの衝突により発光する一対のシンチレータと一致のシンチレータで挟持されるように配置した板状の変形抑制部材とからなる検出部を長手方向が軸方向となるように円筒状の筒ケースに収納し、モータにより検出部が筒ケース内で軸回りに回転できるように構成されている。そして、一対のシンチレータにより検出された一対の検出位置と検出部の回転角とに基づいてミュオンの飛来方向を特定している。
【０００３】
また、ミュオンを用いて巨大物体の内部イメージを観測するミュオグラフィ観測システムに用いられるミュオン検出装置も提案されている（例えば、特許文献２参照）。この装置では、扁平面に等間隔に配列した複数のワイヤーによりミュオンを検出する複数のガス検出器と、ステンレス製のケースに鉛の板材を収納してなる放射線シールドと、設置器と、を備えている。設置器は、所定間隔で扁平面が平行になるように配置されて複数のガス検出器の各々を着脱可能な複数の検出器用ソケットと検出器用ソケットの間に配置されて放射線シールドを着脱可能なシールド用ソケットとが組み立て分解自在の複数の部材により構成されている。これにより、設置すべき場所へのアクセスが困難な場合でも、設置器を分解した状態で設置すべき場所に運んで組み立てることができるようにしている。
【先行技術文献】
【特許文献】
【０００４】
【特許文献１】特開２０１４−１２６４０７号公報
【特許文献２】特開２０１７−１９８４８２号公報
【発明の概要】
【発明が解決しようとする課題】
【０００５】
しかしながら、上述の検層装置では、シンチレータを用いているから、電磁シャワー（主に荷電電子ｅ-，ｅ+）により２つのシンチレータ検出器の２点が同時検出されると、その２点を結んだ直線上をミュオンが透過したとして誤って検出する場合が生じる。また、検出部をモータにより回転させるから、装置の構成が複雑なものとなり、検出可能なミュオンの数を制限してしまう。
【０００６】
一方、上述のミュオン検出装置では、大きな体格を有するため、巨大物体の内部イメージを観測する場合には適していても、地中に配置して地中の状態を観測するには不向きである。
【０００７】
本発明の地中状態観測装置は、小型で精度よく簡易な構成で地中の状態を観測することができる装置を提案することを主目的とする。
【課題を解決するための手段】
【０００８】
本発明の地中状態観測装置は、上述の主目的を達成するために以下の手段を採った。
【０００９】
本発明の地中状態観測装置は、
地中に配置され、ミュオンを用いて地中の状態を観測する地中状態観測装置であって、
扁平面に等間隔に配列した複数のワイヤーによりミュオンを検出する矩形形状の複数のガス検出器と、各ガス検出器の間に配置された鉛板による放射線シールドと、を備える複数の観測部を有し、
前記複数の観測部は、一列に、且つ、少なくとも１つの観測部における前記ガス検出器の扁平面の中心からの法線と他の観測部における前記ガス検出器の扁平面の中心からの法線とがねじれの位置となるように配置されている、
ことを特徴とする。
【００１０】
この本発明の地中状態観測装置では、扁平面に等間隔に配列した複数のワイヤーによりミュオンを検出する矩形形状の複数のガス検出器と、各ガス検出器の間に配置された鉛板による放射線シールドと、を備える複数の観測部を備える。ガス検出器は、一般的なシンチレータ検出器に比して空間分解能が１／１０程度と小さい。このため、ミュオン検出の際にノイズとして作用する電磁シャワー（主に荷電電子ｅ-，ｅ+）を取り除くために必要な放射線シールド内の鉛の厚みを１／５以下にすることができる。また、ガス検出器はシンチレータ検出器に比して軽い。これらの結果、同程度の性能を有する地中状態観測装置をシンチレータ検出器を用いて構成した場合に比して、小型で精度の良いものとすることができる。また、複数の観測部を、一列に、且つ、少なくとも１つの観測部におけるガス検出器の扁平面の中心からの法線と他の観測部におけるガス検出器の扁平面の中心からの法線とがねじれの位置となるように配置する。１つの観測部では最も外側に配置されるガス検出器に通過することができる範囲が観測範囲となるが、複数の観測部をねじれの位置となるように配置することにより、より広範囲を観測範囲とすることができる。複数の観測部をねじれの位置に配置するだけでよいから、観測部を回転させる機構を有するものに比して簡易な構成とすることができ、回転角を考慮せずにミュオンの飛来方向を検出することができる。これらの結果、小型で精度よく簡易な構成で地中の状態を観測することができる。
【００１１】
本発明の地中状態観測装置において、前記複数の観測部は、前記ガス検出器の扁平面が９０度だけ異なるように配置された２つの観測部であるものとすることもできる。こうすれば、２つの観測部だけでよいから装置をより小型なものとすることができる。
【００１２】
本発明の地中状態観測装置において、円筒形状に形成され、前記複数の観測部を収納する収納ケースを備えるものとすることもできる。こうすれば、ボーリング孔に挿入して地中の状態を観測するのに適したものとすることができる。この場合、前記複数の観測部は、前記ガス検出器の扁平面が前記収納ケースの軸に平行になるように前記収納ケースに収納されているものとしてもよい。
【図面の簡単な説明】
【００１３】
【図１】実施形態の地中状態観測装置２０の構成の概略を示す説明図である。
【図２】ミュオン検出装置２２の円筒形状における中心軸を通る断面を模式的に示す模式断面図である。
【図３】図２におけるミュオン検出装置２２のＡ−Ａ断面を模式的に示す模式断面図である。
【図４】観測部３０の外観を模式的に示す模式外観図である。
【図５】ガス検出器４０の一部の構成を模式的に示す構成図である。
【図６】図５のＢ−Ｂ面の断面図である。
【図７】放射線シールド５０の構成の概略を示す分解斜視図である。
【図８】観測部３０と観測領域との関係を示す説明図である。
【発明を実施するための形態】
【００１４】
次に、本発明を実施するための形態について説明する。図１は、実施形態の地中状態観測装置２０の構成の概略を示す説明図である。実施形態の地中状態観測装置２０は、地中に配置されてるミュオンの通過を検出するミュオン検出装置２２と、ミュオン検出装置２２による検出結果を用いて地中の状態をイメージ解析する解析装置６０と、を備える。ミュオン検出装置２２は、有線または無線のデータ転送リンクを介して解析装置６０に接続されている。解析装置６０は、図１に示すように、汎用のコンピュータにアプリケーションソフトウエアとしての地中状態解析プログラム６２がインストールされたものとして構成されている。コンピュータは、図示しないＣＰＵやＲＯＭ，ＲＡＭ，グラフィックプロセッサ（ＧＰＵ），グラフィックメモリ（ＶＲＡＭ），システムバス，ハードディスクドライブ（ＨＤＤ）などを備え、ハードディスクドライブに地中状態解析プログラム６２などが記憶されている。地中状態解析プログラム６２は、データを入力する入力モジュール６４と、入力されたデータを用いて地中の状態を解析する解析モジュール６６と、解析結果を出力する出力モジュール６８と、によって構成されている。なお、コンピュータには、表示装置としてのディスプレイ７０や、入力装置としてのキーボード７２やマウス７４などが接続されている。なお、地中状態解析プログラム６２による地中の状態解析は、基本的には周知技術（例えば、特開２０１３−１５６０９９号公報に記載の技術）と同様であり、本発明の中核をなさないから、その詳細な説明は省略する。
【００１５】
ミュオン検出装置２２は、ボーリング孔１０に挿入されるように円筒形状に構成されている。図２は、ミュオン検出装置２２の円筒形状における中心軸を通る断面を模式的に示す模式断面図であり、図３は、図２におけるミュオン検出装置２２のＡ−Ａ断面を模式的に示す模式断面図である。ミュオン検出装置２２は、図示するように、円筒形状に形成された収納ケース２４と、この収納ケース２４に２段に収納される２つの観測部３０とを備える。図４は、観測部３０の外観を模式的に示す模式外観図である。観測部３０は、扁平な略正方形状に形成された４つのガス検出器４０と、扁平な略正方形状に形成されて各ガス検出器４０の間に配置された３つの放射線シールド５０と、を備え、全体として略正六面体の形状となるように構成されている。２つの観測部３０は、２つの観測部３０のガス検出器４０の扁平面の中心における法線がねじれの位置となると共に２つの観測部３０のガス検出器４０の扁平面が９０度だけ異なるように、さらに、２つの観測部３０のガス検出器４０の扁平面が収納ケース２４の中心軸に平行になるように、収納ケース２４に収納されている。
【００１６】
図５は、ガス検出器４０の一部の構成を模式的に示す構成図であり、図６は、図５のＢ−Ｂ面の断面図である。なお、図５は、図６のＣ−Ｃ面の断面図である。ガス検出器４０は、周知のガスワイヤーチャンバー（ＭＷＰＣ：Multi Wire Proportional Chamber）として構成されており、２つのカソードプレーン４２ａ，４２ｂと、２つのカソードプレーン４２ａ．４２ｂの略中央に平行に等間隔に配置された複数のアノードワイヤー４４（１），４４（２），…，４４（ｎ）と、各アノードワイヤー４４（１），４４（２），…，４４（ｎ）の間に配置された複数のフィールド形成ワイヤー４５（１），４５（２），…，４５（ｎ）と、２つのカソードプレーン４２ａ，４２ｂ間のカソードプレーン４２ｂ側近傍に複数のアノードワイヤー４４（１），４４（２），…，４４（ｎ）と直交するように配置された複数の信号収集ワイヤー４６（１），４６（２），…，４６（ｍ）と、複数の信号収集ワイヤー４６（１），４６（２），…，４６（ｍ）に取りつけられた複数の信号読み出し部４８と、複数のフィールド形成ワイヤー４５（１），４５（２），…，４５（ｎ）に接続された複数の信号読み出し部４７と、により構成されている。ガス検出器４０の内部空間には、アルゴン（Ａｒ）や二酸化炭素（ＣＯ2）の不燃性で無毒の混成ガスが充填されている。このガス検出器４０では、単一のシグナルで２方向（ｘ方向とｙ方向）の検出を行なうことができる。本実施形態では、ガス検出器４０は、複数のアノードワイヤ４４（１），４４（２），…，４４（ｎ）として直径が２０μｍのワイヤーを用い、複数のフィールド形成ワイヤー４５（１），４５（２），…，４５（ｎ）として直径が１００μｍのワイヤーを用い、ワイヤーを等間隔で配置し、信号収集ワイヤー４６（１），４６（２），…，４６（ｍ）として直径が１００μｍのワイヤーを用いた。
【００１７】
図７は、放射線シールド５０の構成の概略を示す分解斜視図である。図示するように、放射線シールド５０は、ステンレス製の下枠５２と、ステンレス製の蓋５４と、下枠５２に形成された扁平な略正方形状の収納部５３に収納される鉛板５６とにより構成されている。
【００１８】
図８は、観測部３０と観測領域との関係を示す説明図である。実施形態の地中状態観測装置２０におけるミュオン検出装置２２は、図中領域Ａ側および領域Ｃ側から飛来するミュオンについては、ガス検出器４０の扁平面が図中水平方向と平行な観測部３０（２つの観測部３０のうちの一方）により検出することができ、図中領域Ｂ側および領域Ｄ側から飛来するミュオンについては、ガス検出器４０の扁平面が図中垂直方向と平行な観測部３０（２つの観測部３０のうちの他方）により検出することができる。このため、２つの観測部３０によりミュオン検出装置２２の径方向における略全周から飛来するミュオンを検出することができる。
【００１９】
実施形態の地中状態観測装置２０では、４つのガス検出器４０を等間隔に扁平面が平行になるように配置してミュオン検出装置２２を構成することにより、各ガス検出器４０に同時に直線上に並ばない反応点が観測されたときにはその反応点はノイズであると判別し、各ガス検出器４０に同時に直線上に並ぶ反応点が観測されたときにはその反応点はミュオンによるものであると判別する。これにより、電磁シャワーなどのノイズによる誤検出を抑制することができる。
【００２０】
以上説明した実施形態の地中状態観測装置２０では、扁平面に等間隔に配列した４つのガス検出器４０と、各ガス検出器４０の間に配置された鉛板による３つの放射線シールド５０とを備える２つの観測部３０を備える。ガス検出器３０は、シンチレータ検出器に比して空間分解能が１／１０程度と小さいから、ミュオン検出の際にノイズとして作用する電磁シャワー（主に荷電電子ｅ-，ｅ+）を取り除くために必要な放射線シールド内の鉛の厚みを小さくすることができる。また、ガス検出器４０はシンチレータ検出器に比して軽い。これらの結果、同程度の性能を有する地中状態観測装置をシンチレータ検出器を用いて構成した場合に比して、小型で精度の良いものとすることができる。また、実施形態の地中状態観測装置２０では、２つの観測部３０を、２つの観測部３０のガス検出器４０の扁平面の中心における法線がねじれの位置となると共に２つの観測部３０のガス検出器４０の扁平面が９０度だけ異なるようにように、さらに、２つの観測部３０のガス検出器４０の扁平面が収納ケース２４の中心軸に平行になるように、収納ケース２４に収納する。これにより、ミュオン検出装置２２の径方向における略全周から飛来するミュオンを検出することができる。したがって、観測部を回転させる機構を有するものに比して、簡易な構成とすることができ、回転角を考慮せずにミュオンの飛来方向を検出することができる。これらの結果、小型で精度よく簡易な構成で地中の状態を観測することができる。
【００２１】
実施形態の地中状態観測装置２０では、２つの観測部３０を、２つの観測部３０のガス検出器４０の扁平面の中心における法線がねじれの位置となると共に２つの観測部３０のガス検出器４０の扁平面が９０度だけ異なるように、さらに、２つの観測部３０のガス検出器４０の扁平面が収納ケース２４の中心軸に平行になるように、収納ケース２４に収納するものとした。しかし、３つ以上の観測部３０を収納ケースに収納するものとしてもよい。３つの観測部３０を収納する場合には３つの観測部３０のガス検出器４０の扁平面が６０度だけ異なるようにように３段に配置すればよいし、３つの観測部３０を収納する場合には、４つの観測部３０のガス検出器４０の扁平面が４５度だけ異なるようにように４段に配置すればよい。
【００２２】
実施形態の地中状態観測装置２０では、ミュオン検出器２２をボーリング孔に挿入するものとしたが、ミュオン検出器２２をボーリング孔に挿入せず、地中に設置するものとしてもよい。この場合、収納ケース２４の形状は円筒形状に限られず、矩形形状であってもよい。
【００２３】
実施形態の地中状態観測装置２０におけるミュオン検出装置２２では、４つのガス検出器４０を等間隔に扁平面が平行になるように配置するものとしたが、扁平面が平行になるように配置すればよいから、等間隔に配置しないものとしても構わない。また、ガス検出器４０の数も４個に限定されるものではなく、３個以下でもよいし５個以上でも構わない。
【００２４】
実施形態の地中状態観測装置２０におけるミュオン検出装置２２では、鉛板５６をステンレス製の下枠５２および蓋５４により収納するものとしたが、下枠５２や蓋５４は、ステンレスによって形成されていることに限定されるものではなく、他の金属材料により形成されているものとしてもよいし、硬化プラスチックなどにより形成されているものとしてもよい。
【００２５】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００２６】
本発明は、地中状態観測装置の製造産業などに利用可能である。
【符号の説明】
【００２７】
２０  地中状態観測装置、２２  ミュオン検出装置、２４  収納ケース、３０  観測部、４０  ガス検出器、４２ａ，４２ｂ  カソードプレーン、４４（１），４４（２），…，４４（ｎ）  アノードワイヤー、４５（１），４５（２），…，４５（ｎ）  フィールドワイヤー、４７  信号読み出し部、４８  信号読み出し部、５０  放射線シールド、５２  下枠、５３  収納部、５４  蓋、５６  鉛板、６０  解析装置、６２  地中状態解析プログラム、６４  入力モジュール、６６  解析モジュール、６８  出力モジュール、７０  ディスプレイ、７２  キーボード、７４  マウス。
【図１】
2020085732.tif 000003
【図２】
2020085732.tif 000004
【図３】
2020085732.tif 000005
【図４】
2020085732.tif 000006
【図５】
2020085732.tif 000007
【図６】
2020085732.tif 000008
【図７】
2020085732.tif 000009
【図８】
2020085732.tif 000010